(57)【特許請求の範囲】
【請求項１】
上下フランジ及びウェブを有するＩ形鉄骨梁の下フランジの下面を露出させた状態で、下フランジから上フランジの近くまでの空間を梁コンクリートで充填すると共に、上フランジをその上側及び下側に配したスラブ上端筋及びスラブ下端筋と共に床スラブコンクリート中に埋設し、スラブ下端筋の端部を上フランジの下側の床スラブコンクリート中に定着させ、一端部および他端部が折り曲げられてコ字状に形成された折り曲げ鉄筋の一端部を前記ウェブの一方の側面近くに配置し、該一端部と連続する中央部を前記上フランジの上側を巡るように配置し、該中央部に連続する他端部を前記ウェブの他方の側面近くに至るように配置して、該折り曲げ鉄筋の一端部および他端部を前記梁コンクリート内に定着するとともに中央部を前記床スラブコンクリート内に定着させてなることを特徴とする合成梁構造。
【請求項２】
請求項１記載の合成梁構造であって、
前記Ｉ形鉄骨梁のウェブにスタッドを溶接するとともに、該スタッドにメッシュ筋を配して、該スタッドおよび該メッシュ筋を介して前記Ｉ形鉄骨梁と前記梁コンクリートとを一体化させてなることを特徴とする合成梁構造。
【請求項３】
請求項１または２記載の合成梁構造であって、前記Ｉ形鉄骨梁に対して、該Ｉ形鉄骨梁と交差するようにＩ形鉄骨小梁が取り付けられ、該Ｉ形鉄骨小梁は、その上面が、前記床スラブコンクリートの下面と一致するような位置に設けられていることを特徴とする合成梁構造。
【請求項４】
請求項３記載の合成梁構造であって、前記Ｉ形鉄骨小梁には、前記Ｉ形鉄骨梁に対して接合される端部を除いた部分に対して、その上下フランジ間にあらかじめ小梁コンクリートが充填されていることを特徴とする合成梁構造。
【発明の詳細な説明】
【０００１】
【発明の属する技術分野】
本発明は、Ｉ形鉄骨（Ｈ形鉄骨も含む）梁を中心に構成された合成梁構造に係り、特に床スラブとの一体化を図った合成梁構造に関する。
【０００２】
【従来の技術】
Ｉ形鉄骨梁と床スラブの一体化を図った構造として、特開平５−８６６７４号公報や特開平１１−１６６２９４号公報に記載のものが知られている。
【０００３】
図１８は前者の公報に記載の構造を示すもので、１はＩ形鉄骨梁である。このＩ形鉄骨梁１は、上下フランジ１ａ、１ｂと、それらをつなぐウェブ１ｃとからなる。図示例の構造は、Ｉ形鉄骨梁１に型枠（図示略）を設けると共に、この型枠に床版１０１を設け、床版１０１上に床スラブコンクリート１０２を打設する際に、Ｉ形鉄骨梁１の上下フランジ１ａ、１ｂ間の空間にも同時に梁コンクリート１０３を打設して、Ｉ形鉄骨梁１を中心とした合成梁１０４と床スラブ１０５とを一体化することで、Ｉ形鉄骨梁１の横座屈に対する変形性能を向上させ、Ｉ形鉄骨梁１に発生するおそれのある局部座屈を防止するようにしたものである。
【０００４】
図１９は後者の公報に記載の構造を示すもので、１１０は予め工場製作された合成梁である。この合成梁１１０は、上下フランジ１ａ、１ｂ及びウェブ１ｃよりなるＩ形鉄骨梁１を、上フランジ１ａ及びこの上フランジ１ａ寄りのウェブ１ｃ部分を残してコンクリートブロック１１１中に埋設し、ウェブ１ｃのコンクリートブロック１１１上への露出部分に、ウェブ１ｃの延在方向に間隔をおいて貫通孔１１２を複数形成したものである。
【０００５】
図示例の構造は、この合成梁１１０における露出部分の下方でコンクリートブロック１１１の上部に床型枠（図示略）を設置し、上フランジ１ａの上側と下側にスラブ上端筋５と下端筋６を配すると共に、スラブ下端筋６をウェブ１ｃの貫通孔１１２に通し、その上で床型枠上に床スラブコンクリート１１３を打設することにより、合成梁１１０と床スラブ１１４とを一体化したものである。
【０００６】
【発明が解決しようとする課題】
ところで、図１８の構造は、Ｉ形鉄骨梁１の上フランジ１ａの上側と下側に配筋を施していない上、上フランジ１ａを完全に床スラブコンクリート１０２中に埋没させていないので、床スラブ１０５の厚さが薄い場合に、床スラブ１０５と合成梁１０４の一体性が弱まるおそれがある。
【０００７】
その点、図１９の構造は、Ｉ形鉄骨梁１の上フランジ１ａの上側と下側にスラブ上端筋５と下端筋６を設置し、上フランジ１ａを完全に床スラブコンクリート１１３中に埋没させているので、床スラブ１１４の厚さが薄い場合にも、床スラブ１１４と合成梁１１０の一体性を確保することができる。
【０００８】
しかしながら、この構造の場合、ウェブ１ｃの貫通孔１１２にスラブ下端筋６を貫通させるようにしているので、スラブ厚を変える場合に、それに応じてスラブ下端筋６の配筋位置を変えることができない。つまり、スラブ厚の変化に柔軟に対応することができないおそれがある。また、Ｉ形鉄骨梁１の下フランジ１ｂが完全にコンクリートブロック１１１中に埋没しているので、この下フランジ１ｂを利用しての型枠の組立が困難である。
【０００９】
本発明は、上記事情を考慮し、床スラブとの一体性を高めることができると共に、スラブ厚の変化に柔軟に対応することができ、しかも、コンクリート打設のための型枠組立が容易にできる合成梁構造を提供することを目的とする。
【００１０】
【課題を解決するための手段】
請求項１の発明の合成梁構造は、上下フランジ及びウェブを有するＩ形鉄骨梁の下フランジの下面を露出させた状態で、下フランジから上フランジの近くまでの空間を梁コンクリートで充填すると共に、上フランジをその上側及び下側に配したスラブ上端筋及びスラブ下端筋と共に床スラブコンクリート中に埋設し、スラブ下端筋の端部を上フランジの下側の床スラブコンクリート中に定着させ、一端部および他端部が折り曲げられてコ字状に形成された折り曲げ鉄筋の一端部を前記ウェブの一方の側面近くに配置し、該一端部と連続する中央部を前記上フランジの上側を巡るように配置し、該中央部に連続する他端部を前記ウェブの他方の側面近くに至るように配置して、該折り曲げ鉄筋の一端部および他端部を前記梁コンクリート内に定着するとともに中央部を前記床スラブコンクリート内に定着させてなることを特徴とする。
【００１１】
この発明の合成梁構造では、Ｉ形鉄骨梁の下フランジから上フランジの近くまでの空間を梁コンクリートで充填すると共に、上フランジの上側と下側にスラブ上端筋と下端筋を配し、上フランジをこれらスラブ上端筋及び下端筋と共に床スラブコンクリート中に埋設しているので、床スラブと合成梁の一体性を高めることができる。また、Ｉ形鉄骨梁の下フランジの下面を露出させているので、下フランジを利用してコンクリート打設のための型枠を組み立てることができる。また、スラブ下端筋の端部は上フランジの下側の床スラブコンクリート中に定着させているだけであるから、要求されるスラブ厚に応じてスラブ下端筋の配筋位置を自由に変えることができ、柔軟にスラブ厚の変更に対応することができる。 しかも、コ字状に形成された折り曲げ鉄筋により、梁コンクリートおよび床スラブコンクリートとを一体化することができ、地震時等における構造安定性を確保することができる。
【００１２】
請求項２の発明の合成梁構造は、請求項１記載の合成梁構造であって、前記Ｉ形鉄骨梁のウェブにスタッドを溶接するとともに、該スタッドにメッシュ筋を配して、該スタッドおよび該メッシュ筋を介して前記Ｉ形鉄骨梁と前記梁コンクリートとを一体化させてなることを特徴としている。 
この発明の合成梁構造では、梁コンクリートとＩ形鉄骨梁の一体性を一層高めることができる。
【００１３】
請求項３の発明の合成梁構造は、請求項１または２記載の合成梁構造であって、前記Ｉ形鉄骨梁に対して、該Ｉ形鉄骨梁と交差するようにＩ形鉄骨小梁が取り付けられ、該Ｉ形鉄骨小梁は、その上面が、前記床スラブコンクリートの下面と一致するような位置に設けられていることを特徴としている。
この発明の合成梁構造では、小梁の上面を床スラブコンクリートに埋設する必要がない。
【００１４】
請求項４の発明の合成梁構造は、請求項３記載の合成梁構造であって、前記Ｉ形鉄骨小梁には、前記Ｉ形鉄骨梁に対して接合される端部を除いた部分に対して、その上下フランジ間にあらかじめ小梁コンクリートが充填されていることを特徴としている。
【００１５】
この発明の合成梁構造では、小梁の耐火性能および強度を向上させることができる。
【００１６】
【発明の実施の形態】
以下、本発明の実施の形態を図面に基づいて説明する。なお、以下ではまず本発明の基本構成と構成要素について説明し、しかる後に本来の実施形態（図１３〜１４、図１６〜１７）を説明するが、便宜的に全てを実施の形態として説明する。
［第一の実施の形態］
図１（ａ）は第一の実施形態の合成梁構造の完成状態の断面図、（ｂ）はコンクリート打設前の状態を示す断面図である。
【００１７】
この実施の形態の合成梁構造は、図１（ａ）に上下フランジ１ａ、１ｂ及びウェブ１ｃを有するＩ形鉄骨梁１の下フランジ１ｂの下面を露出させた状態で、下フランジ１ｂから上フランジ１ａの近くまでの空間を梁コンクリート１０Ａで充填すると共に、上フランジ１ａを、その上側及び下側に配したスラブ上端筋５及びスラブ下端筋６と共に床スラブコンクリート１０Ｂ中に埋設し、スラブ下端筋６の端部を上フランジ１ａの下側の床スラブコンクリート１０Ｂ中に定着させたものである。
【００１８】
この構造を得るには、まず、Ｉ形鉄骨梁１の下フランジ１ｂを利用して、下フランジ１ｂの幅方向外縁から上フランジ１ａの幅方向外縁の近傍位置までウェブ１ｃと平行に梁型枠２１を設ける。同時に、この梁型枠２１の上端に床型枠２２を設ける。この際、床型枠２２の上面が、上フランジ１ａの下側に間隔をおいて位置するように設定する。また、上フランジ１ａの上側にスラブ上端筋５を配筋すると共に、上フランジ１ｂの下側にスラブ下端筋６を配筋する。ここで、スラブ下端筋６の端部は、単にウェブ１ｃの近傍まで接近させるだけにしておく。
【００１９】
次いで、梁型枠２１の内側の空間７と床型枠２２の上側の空間にコンクリート１０を打設することにより、図１（ａ）に示すような、床スラブ３と合成梁２が一体化した合成梁構造が出来上がる。この場合、床スラブ３の上面３ａは上フランジ１ａの上側に位置し、床スラブ３の下面３ｂは上フランジ１ａの下側に位置する。
【００２０】
このような構成の合成梁構造では、上フランジ１ａの上側と下側にスラブ上端筋５と下端筋６が配されており、上フランジ１ａがこれらスラブ上端筋５及び下端筋６と共に床スラブコンクリート１０Ｂの中に埋設されているので、床スラブ３と合成梁２の一体性が高い。しかも、上下フランジ１ａ、１ｂ間の空間には梁コンクリート１０Ａが充填されているので、耐火性能が高い上に、梁の剛性及び横座屈性能が高い。
【００２１】
また、スラブ下端筋６の端部は、単に上フランジ１ａの下側の床スラブコンクリート１０Ｂ中に定着させているだけであるから、要求されるスラブ厚Ｔ１に応じて、スラブ下端筋６の配筋位置を自由に変えることができる。この場合、スラブ下端筋６及び床型枠２２を上下させることにより、階高と梁高さＨを一定とした状態でスラブ厚さを変えることができる。図２はスラブ厚さをＴ２に変更した場合の例を示している。
【００２２】
なお、図３の例に示すように、Ｉ形鉄骨梁１のウェブ１ｃにスタッド１１を溶接し、スタッド１１にメッシュ筋１２を配した上で、コンクリート１０を打設するようにしてもよい。そうした場合は、梁コンクリート１０Ａ〔図１（ａ）参照〕とＩ形鉄骨梁１の一体性を一層高めることができる。
【００２３】
また、図４の例に示すように、梁型枠や床型枠に捨て型枠を使用してもよい。図４の符号２３は捨て型枠仕様の鋼板、２４は捨て型枠仕様のデッキプレートを示す。
【００２４】
また、上記実施形態では、梁コンクリート１０Ａと床スラブコンクリート１０Ｂ〔図１（ａ）参照〕を一緒に打設する場合を説明したが、予め梁コンクリート１０Ａを打設しておいてから、床スラブコンクリート１０Ｂを打設するようにしてもよい。
【００２５】
図５の例では、予め工場（現場でもよい）で一部の梁コンクリート１０Ｂを打設した合成梁２０を作っておき、この合成梁２０のコンクリート１０Ｂ上面に床型枠２４を取り付けて、床スラブコンクリート１０Ｂを打設するようにしている。
【００２６】
また、Ｉ形鉄骨梁１と他の部材の接合部についても、溶接や高力ボルト等による梁の接合後に、床スラブコンクリートの打設と同時に接合部にコンクリートを充填する方法で容易に施工することができる。
【００２７】
図６は合成梁２と円形鋼管柱３０の十字型柱梁接合部の例を示しており、（ａ）はコンクリート充填前、（ｂ）はコンクリート充填後の状態を示す。この例では、Ｉ形鉄骨梁１の端部を円形鋼管柱３０に溶接や高力ボルト等によって接合した後、型枠を組み立ててコンクリート１０を打設している。
【００２８】
図７は合成梁２と角形鋼管柱４０のト字形柱梁接合部の例を示しており、（ａ）はコンクリート充填前、（ｂ）はコンクリート充填後の状態を示す。この例では、Ｉ形鉄骨梁１の端部を角形鋼管柱４０のブラケット４１に溶接や高力ボルト等によって接合した後、型枠を組み立ててコンクリート１０を打設している。
【００２９】
［第二の実施の形態］
次に、本発明の第二の実施の形態について説明する。
図８は、第二の実施の形態の合成梁構造５０の完成状態の断面図、図９は、図８におけるＩ−Ｉ線矢視断面図である。
この実施の形態の合成梁構造５０は、図１に示したものと同様の合成梁構造に対して小梁５１を取り付けたものである。ここで、小梁５１は、Ｉ形鉄骨梁１に交差するように設けられたＩ形鉄骨小梁５２と、このＩ形鉄骨小梁５２の上フランジ５２ａおよび下フランジ５２ｂ間に充填された小梁コンクリート５３とにより構成されている。Ｉ形鉄骨小梁５２は、その上フランジ５２ａの上面が床スラブコンクリート１０Ｂの下面（床スラブ３の下面３ｂ）と一致するような位置に配置されている。
【００３０】
この小梁５１は、Ｉ形鉄骨小梁５２のうち、合成梁２に対して接合される端部を除いた部分に対して、その上下フランジ間５２ａ，５２ｂにあらかじめ小梁コンクリート５３が充填された状態で使用されるものである。図１０は、小梁５１をＩ形鉄骨梁１に取り付ける際の状況を示す断面図であり、図１１は、図１０のＩＩ−ＩＩ線矢視断面図である。
【００３１】
これらの図中に示すように、小梁５１は、その端部５１ａが、小梁コンクリート５３から露出するとともにＩ形鉄骨小梁５２のウェブ５２ｃに連続する接合端部５４として形成されたものとされ、この接合端部５４が、Ｉ形鉄骨梁１の上下フランジ１ａ，１ｂ間にウェブ１ｃと直交するように設けられたリブプレート５５に対して接合されることによって、梁コンクリート１０Ａ打設前のＩ形鉄骨梁１に対して取り付けられる。このとき、形成すべき床スラブ３の下面とＩ形鉄骨小梁５２の上フランジ５２ａの上面の位置が一致するように、Ｉ形鉄骨小梁５２は、その上面がＩ形鉄骨梁１の上面よりも若干低い位置となるように設けられる。
【００３２】
そして、このように小梁５１をＩ形鉄骨梁１に取り付けた後に、上記第一の実施の形態と同様の手順で、Ｉ形鉄骨梁１の上フランジ１ａ，１ｂの上下にスラブ上端筋５およびスラブ下端筋６を配置し、さらに、Ｉ形鉄骨梁１の周囲の梁コンクリート１０Ａの打設対象位置と床スラブコンクリート１０Ｂの打設対象位置位置とにコンクリート１０を打設する。これにより、図８，図９に示したような構造を得ることができる。
【００３３】
このような構成の合成梁構造５０では、上記第一の実施の形態と同様の効果を得ることができるほか、Ｉ形鉄骨小梁５２が、その上面が、床スラブコンクリート１０Ｂの下面と一致するように設けられているため、小梁５１の上面を床スラブコンクリート１０Ｂに埋設する必要がない。これにより、施工性に優れるとともに、小梁５１に過度な構造性能を付与することが無く、合理的な構造を実現することができる。
【００３４】
さらに、この合成梁構造５０は、Ｉ形鉄骨小梁５２に、その接合端部５４を除いた部分に対して、その上下フランジ５２ａ，５２ｂ間にあらかじめ小梁コンクリート５３が充填されているために、小梁５１をあらかじめ製作しておくことができ、施工性の向上に寄与することができるだけでなく、小梁５１の耐火性能および強度を向上させることができる。特に、小梁５１を床スラブコンクリート１０Ｂと一体化していないに関わらず、このようにＩ形鉄骨小梁５２に対して小梁コンクリート５３を打設しておくことにより、床スラブ３を支持するのに十分な耐力と高い剛性とを得ることができる。
【００３５】
なお、この合成梁構造５０において、図１２の例に示すように、梁コンクリート１０Ａのうち、床スラブコンクリート１０Ｂの下方の一定部分の幅寸法が拡大するようにし、これにより、梁コンクリート１０Ａのうち、床スラブコンクリート１０Ｂに接する一部をハンチ５６として形成してもよい。
【００３６】
このような構成とすれば、梁コンクリート１０Ａの幅寸法が床スラブコンクリート１０Ｂ近くで拡大するため、床スラブコンクリート１０Ｂと梁コンクリート１０Ａとを一体打設する際に、特に上フランジ１ａ近くの位置における梁コンクリート１０Ａの充填性を確保しやすい。これによって、施工性が向上するとともに、梁の剛性および横座屈性能を確保することができる。
【００３７】
また、図１２の構成に加えて、図１３の例のように、折り曲げ鉄筋５７をＩ形鉄骨梁１の上側および両側方を囲むように配置し、これを床スラブコンクリート１０Ｂと梁コンクリート１０Ａとを一体化するのに用いてもよい。この場合、折り曲げ鉄筋５７としては、一端部５７ａおよび他端部５７ｂが折り曲げられてコ字状に形成されたものを用い。折り曲げ鉄筋５７の一端部５７ａをウェブ１ｃの一方の側面近くに配置し、一端部５７ａと連続する中央部５７ｃを上フランジ１ａの上側を巡るように配置する。そして、中央部５７ｃに連続する他端部５７ｂをウェブ１ｃの他方の側面近くに至るように配置する。さらに、折り曲げ鉄筋５７の一端部５７ａおよび他端部５７ｂを梁コンクリート１０Ａ内に定着し、中央部５７ｃを床スラブコンクリート１０Ｂ内に定着させる。これにより、梁コンクリート１０Ａおよび床スラブコンクリート１０Ｂを折り曲げ鉄筋５７により一体化することができ、地震時等における構造安定性を確保することができる。
【００３８】
この場合、図１４（ａ）に示すように、折り曲げ鉄筋５７の折り曲げ部５７ｄ，５７ｄを、Ｉ形鉄骨梁１に沿って上フランジ１ａの上側に配置された一対のスラブ補強筋５８，５８に定着させた状態で配置すると、折り曲げ鉄筋５７の位置決めが容易となり、この図のように、折り曲げ鉄筋５７をＩ形鉄骨梁１の延在方向に沿って複数設置するような場合の施工性がよい。また、図１４（ａ）の構造に対して、折り曲げ鉄筋５７の一端部５７ａおよび他端部５７ｂに対して交差するように補強筋５９を配置することによって、図１４（ｂ）のように、折り曲げ鉄筋の一端部５７ａおよび他端部５７ｂと補強筋５９とからなるメッシュ補強体６０を形成してもよい。このメッシュ補強体６０を、梁コンクリート１０Ａに埋設するようにすれば、梁コンクリート１０Ａを強固に補強することができ、その剥落を防止することができる。
【００３９】
また、この他にも、図１５に示す合成梁構造６１のように、Ｉ形鉄骨梁１’における上フランジ１ａ’の幅寸法Ｗａが下フランジ１ｂの幅寸法Ｗｂに比較して小となるような構成を採用するようにしてもよい。ここで、上フランジ１ａ’の厚さ寸法Ｄａは、下フランジ１ｂの厚さ寸法Ｄｂに比較して大とされている。
【００４０】
このような構成の合成梁構造６１は、上フランジ１ａ’の幅寸法Ｗａが、下フランジ１ｂの幅寸法Ｗｂに比較して小とされているために、梁コンクリート１０Ａを打設するためにＩ形鉄骨梁１’の側方に配置される梁型枠（図示略）や、床スラブコンクリート１０Ｂを打設するために床スラブコンクリート１０Ｂの下面に配置される床型枠（図示略）と、上フランジ１ａ’の端部との空間を拡大することができる。これによって、梁コンクリート１０Ａの充填性を確保しやすく、施工性がよいだけでなく、合成梁構造６１形成時における梁の剛性および横座屈性能を確保することができる。また、この場合、上フランジ１ａ’の厚さ寸法Ｄａを下フランジ１ｂの厚さ寸法Ｄｂに比較して大としたので、上フランジ１ａ’の断面積を確保することができ、上フランジ１ａ’の強度が低下することが無く、構造安定性を確保できる。
【００４１】
なおこの場合、図１６のように、折り曲げ鉄筋６２をＩ形鉄骨梁１’の上側および両側方を囲むように配置し、これを床スラブコンクリート１０Ｂと梁コンクリート１０Ａとを一体化するのに用いてもよい。この場合、折り曲げ鉄筋６２としては、一端部６２ａおよび他端部６２ｂが折り曲げられてコ字状に形成されるとともに、一端部６２ａと他端部６２ｂとの間の中央部６２ｃの長さ寸法が、上フランジ１ａ’の幅寸法Ｗａと略同一のものを用いるようにする。そして、折り曲げ鉄筋６２の一端部６２ａをウェブ１ｃの一方の側面近くに配置し、中央部６２ｃを上フランジ１ａ’の上側を巡るように配置し、他端部６２ｂをウェブ１ｃの他方の側面近くに至るように配置する。さらに、折り曲げ鉄筋６２の一端部６２ａおよび他端部６２ｂを梁コンクリート１０Ａ内に定着し、中央部６２ｃを床スラブコンクリート１０Ｂ内に定着させる。これにより、梁コンクリート１０Ａおよび床スラブコンクリート１０Ｂを折り曲げ鉄筋６２により一体化することができ、地震時等における構造安定性を確保することができる。
【００４２】
さらに、この場合、図１７（ａ）に示すように、折り曲げ鉄筋６２の折り曲げ部６２ｄ，６２ｄを、Ｉ形鉄骨梁１’に沿って上フランジ１ａ’の上側に配置された一対のスラブ補強筋５８，５８に定着させた状態で配置すると、折り曲げ鉄筋６２の位置決めが容易となり、特に、図示のように、折り曲げ鉄筋６２をＩ形鉄骨梁１’の延在方向に沿って複数設置するような場合の施工性がよい。また、図１７（ａ）の構造に対して、折り曲げ鉄筋６２の一端部６２ａおよび他端部６２ｂに対して交差するように補強筋５９を配置することによって、図１７（ｂ）のように、折り曲げ鉄筋の一端部６２ａおよび他端部６２ｂと補強筋５９とからなるメッシュ補強体６３を形成してもよい。このメッシュ補強体６３を、梁コンクリート１０Ａに埋設するようにすれば、梁コンクリート１０Ａを強固に補強することができ、その剥落を防止することができる。
【００４３】
【発明の効果】
以上説明したように、請求項１の発明によれば、Ｉ形鉄骨梁の上フランジをスラブ上端筋及び下端筋と共に床スラブコンクリート中に埋設しているので、床スラブとの一体性を高めることができる。また、下フランジの下面を露出させているので、下フランジを利用してコンクリート打設のための型枠組立が容易にできる。また、スラブ下端筋の端部を上フランジの下側の床スラブコンクリート中に定着させているので、スラブ下端筋の配筋位置を自由に変えることができ、スラブ厚の変更に柔軟に対応することができる。さらに、コ字状に形成された折り曲げ鉄筋により、梁コンクリートおよび床スラブコンクリートとを一体化することができ、地震時等における構造安定性を確保することができる。
請求項２の発明によれば、Ｉ形鉄骨梁のウェブにスタッドを溶接するとともに、該スタッドにメッシュ筋を配して、該スタッドおよび該メッシュ筋を介して前記Ｉ形鉄骨梁と前記梁コンクリートとを一体化させるので、梁コンクリートとＩ形鉄骨梁の一体性を一層高めることができる。
【００４４】
請求項３の発明によれば、Ｉ形鉄骨小梁の上面が、床スラブコンクリートの下面と一致するような位置に設けられているため、小梁の上面を床スラブコンクリートに埋設する必要がない。これにより、施工性が優れているとともに、小梁に過度な構造性能を付与することが無く、合理的な構造を実現することができる。
【００４５】
請求項４の発明によれば、Ｉ形鉄骨小梁に、その端部を除いた部分に対して、その上下フランジ間にあらかじめ小梁コンクリートが充填されているために、小梁をあらかじめ製作しておくことができ、施工性の向上に寄与することができるだけでなく、小梁の耐火性能および強度を向上させることができる。特に、小梁を床スラブコンクリートと一体化していないに関わらず、このようにＩ形鉄骨小梁に対して小梁コンクリートを打設しておくことにより、床スラブを支持するのに十分な耐力と高い剛性とを得ることができる。
【図面の簡単な説明】
【図１】   （ａ）は本発明の第一の実施の形態の合成梁構造の完成状態の断面図、（ｂ）はコンクリート打設前の状態を示す断面図である。
【図２】   スラブ厚さを変えた例を示す断面図である。
【図３】   ウェブにスタッド及びメッシュ筋を配した例を示す断面図である。
【図４】   型枠に捨て型枠を使用した例を示す断面図である。
【図５】   予め梁コンクリートを打設した上で床スラブコンクリートを打設する場合の例を示す断面図である。
【図６】   合成梁と円形鋼管柱の十字型柱梁接合部の例を示し、（ａ）はコンクリート充填前、（ｂ）はコンクリート充填後の状態を示す図である。
【図７】   合成梁と角形鋼管柱のト型柱梁接合部の例を示し、（ａ）はコンクリート充填前、（ｂ）はコンクリート充填後の状態を示す図である。
【図８】   本発明の第二の実施の形態の合成梁構造の立断面図である。
【図９】   図８におけるＩ−Ｉ線矢視断面図である。
【図１０】   図８の合成梁構造を構築する際に、Ｉ形鉄骨梁に小梁を取り付けた際の状態を示す立断面図である。
【図１１】   図１０におけるＩＩ−ＩＩ線矢視断面図である。
【図１２】   本発明の第二の実施の形態の他の例を示す合成梁構造の立断面図である。
【図１３】   本発明の第二の実施の形態のさらに他の例を示す合成梁構造の立断面図である。
【図１４】   （ａ）図１３に示した合成梁構造における折り曲げ鉄筋の配置状況の一例、および（ｂ）他の例を表す斜視図である。
【図１５】   本発明の第二の実施の形態のさらに他の例を示す合成梁構造の立断面図である。
【図１６】   同、さらに他の例を示す合成梁構造の立断面図である。
【図１７】   （ａ）図１６に示した合成梁構造における折り曲げ鉄筋の配置状況の一例、および（ｂ）他の例を表す斜視図である。
【図１８】   従来例の断面図である。
【図１９】   別の従来例の断面図である。
【符号の説明】
１  Ｉ形鉄骨梁
１ａ  上フランジ
１ｂ  下フランジ
１ｃ  ウェブ
２  合成梁
３  床スラブ
５  スラブ上端筋
６  スラブ下端筋
１０  コンクリート
１０Ａ  梁コンクリート
１０Ｂ  床スラブコンクリート
５０，６１  合成梁構造
５１  小梁
５２  Ｉ形鉄骨小梁
５３  小梁コンクリート
５４  接合端部
【図１】
0004502164.tif 000002
【図２】
0004502164.tif 000003
【図３】
0004502164.tif 000004
【図４】
0004502164.tif 000005
【図５】
0004502164.tif 000006
【図６】
0004502164.tif 000007
【図７】
0004502164.tif 000008
【図８】
0004502164.tif 000009
【図９】
0004502164.tif 000010
【図１０】
0004502164.tif 000011
【図１１】
0004502164.tif 000012
【図１２】
0004502164.tif 000013
【図１３】
0004502164.tif 000014
【図１４】
0004502164.tif 000015
【図１５】
0004502164.tif 000016
【図１６】
0004502164.tif 000017
【図１７】
0004502164.tif 000018
【図１８】
0004502164.tif 000019
【図１９】
0004502164.tif 000020